【事件の表示】
　特許第２８０２８９７号「魚巣用コンクリートブロックおよびコンクリートブロック魚巣」の請求項１ないし９に係る発明の特許に対する特許異議の申立てについて、次のとおり決定する。
【結　論】
　訂正を認める。
　特許第２８０２８９７号の請求項１〜８に係る発明の特許を維持する。
【理　由】
１．手続の経緯
　本件特許第２８０２８９７号の請求項１〜９に係る発明は、平成７年１月２０日に特許出願され、平成１０年７月１７日にその特許権の設定登録がなされ、その後、氏永孝仁より特許異議の申立がなされ、取消理由が通知され、その指定期間内である平成１３年１月１５日に特許異議意見書を提出すると共に訂正請求がなされたものである。
　　　
２．訂正の適否についての判断
（１）訂正の内容
　特許権者が求めている訂正の内容は、以下のａ）〜ｏ）のとおりである。
 ａ）特許請求の範囲の請求項１に記載の「しかもこれら仕切壁より両端側に底面部を設けると共に該両端側の前面部上方又は全面をも開放部とした」を「該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状とした」に訂正する。
 ｂ）特許請求の範囲の請求項４を削除する。
 ｃ）特許請求の範囲の請求項５を請求項４に繰り上げると共に「請求項１〜４」を「請求項１〜３」に訂正する。
 ｄ）特許請求の範囲の請求項６を請求項５に繰り上げると共に「無色またはカラーコンクリートや」の記載を削除し、「請求項１〜５」を「請求項１〜４」に訂正する。
 ｅ）特許請求の範囲の請求項７を請求項６に繰り上げると共に「仕切壁間の」の記載を「仕切壁の」に訂正する。
 ｆ）特許請求の範囲の請求項８を請求項７に繰り上げると共に「請求項１〜６」を「請求項１〜５」とし、さらに「開放面において連通し」を「開放面が積層コンクリートブロックの切込み部を介して左右及び上下において連通し」に訂正する。
 ｇ）特許請求の範囲の請求項９を請求項８に繰り上げると共に「請求項７に記載」を「請求項６に記載」とし、さらに「支持壁間の中間部に」を「仕切壁間の中間部に」とし、「支持壁の両端の」を「仕切壁の両端の」に訂正する。
 ｈ）明細書の段落【００１２】の「しかもこれら仕切壁より両端側に底面部を設けると共に該両端側の前面部上方又は全面をも開放部とした」の記載を「該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状とした」に訂正する。　
 ｉ）明細書の段落【００１５】の記載を削除する。
 ｊ）明細書の段落「【００１６】」を段落「【００１５】」に繰り上げると共に「（５）」を「（４）」に、「（１）〜（４）」を「（１）〜（３）」に訂正する。
 ｋ）明細書の段落「【００１７】」を段落「【００１６】」に繰り上げると共に「（６）」を「（５）」に、「無色またはカラーコンクリートや」の記載を削除し、「（１）〜（５）」を「（１）〜（４）」に訂正する。
 ｌ）明細書の段落「【００１８】」を段落「【００１７】」に繰り上げると共に「（７）」を「（６）」に、「仕切壁間の」を「仕切壁の」に訂正する。
 ｍ）明細書の段落「【００１９】」を段落「【００１８】」に繰り上げると共に「（８）　前記（１）〜（６）」を「（７）　前記（１）〜（５）」とし、さらに「開放面において連通し」を「開放面が積層コンクリートブロックの切込み部を介して左右及び上下において連通し」に訂正する。
 ｎ）明細書の段落「【００２０】」を段落「【００１９】」に繰り上げると共に「（９）　前記（７）項に記載」を「（８）　前記（６）項に記載」とし、さらに「支持壁間の中間部に」を「仕切壁間の中間部に」とし、「支持壁の両端の」を「仕切壁の両端の」に訂正する。
 ｏ）明細書の段落「【００２１】」〜「【００４５】」を段落「【００２０】」〜「【００４４】」に繰り上げる訂正をする。
（２）訂正の目的の適否、新規事項の有無及び拡張・変更の存否
　訂正事項ａ）は、訂正前の請求項４に記載された構成要件を追加すると共に魚巣用コンクリートブロックの形状を図面に開示された形状に限定するものであって、特許請求の範囲の減縮に相当するものであり、訂正事項ｂ），ｃ）は、請求項の削除及びそれに伴う請求項の繰り上げをなすものであって、いずれも特許請求の範囲の減縮に相当するものであり、訂正事項ｄ）は、上記請求項の繰り上げ及び選択的構成要件の一部を削除するものであって、特許請求の範囲の減縮に相当するものであり、訂正事項ｅ）〜ｇ）は、上記請求項の削除に伴う請求項の繰り上げ及び表現上の不備を訂正するものであって、特許請求の範囲の減縮及び不明りような記載の釈明に相当するものであり、訂正事項ｈ）〜０）は、上記特許請求の範囲の訂正に伴って明細書の記載を整合させる訂正であって、不明りような記載の釈明に相当するものであると認める。
　そして、訂正事項ａ）〜ｏ）は、特許明細書に記載された事項の範囲内においてなされたものであり、又、実質上特許請求の範囲を拡張し、又は変更するものではないと認める。
（３）独立特許要件について
（訂正明細書の請求項１〜８に係る発明）
　訂正後の訂正明細書の特許請求の範囲の請求項１〜８に記載された発明（以下、「訂正明細書の請求項１〜８に係る発明」という。）は、次のとおりである。
「【請求項１】外面が実質的に平行状態の前面部と後面部を有し、それら前後面部の内面は底部側を漸次厚肉とした傾斜を採った空洞状部分とすると共に中間部における両端側に仕切壁を対設し、それら仕切壁間の底面を開放面とし、該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状としたことを特徴とする魚巣用コンクリートブロック。
【請求項２】後面部を前面部より厚肉とし、該後面部における仕切壁との交点部分に補強鉄筋挿通孔を設けたことを特徴とする請求項１に記載の魚巣用コンクリートブロック。
【請求項３】後面部における仕切壁との交点部分を部分的な厚肉部とし、該部分的厚肉部に補強鉄筋挿通孔を設けたことを特徴とする請求項１に記載の魚巣用コンクリートブロック。
【請求項４】中間部における両端側に対設された仕切壁間の前面部頂部または中間部に開口部を設けたことを特徴とする請求項１〜３の何れか１つに記載の魚巣用コンクリートブロック。
【請求項５】前面部の外面に擬石、擬木等の天然または人工的模様を形成し、表面部の浸透着色や塗料による美化層を形成したことを特徴とする請求項１〜４の何れか１つに記載の魚巣用コンクリートブロック。
【請求項６】前面部における仕切壁の両端側頂部に部分的切欠部を形成し、後面部両端側の頂部または中央部に開口部を設けたことを特徴とする請求項１〜３の何れか１つに記載の魚巣用コンクリートブロック。
【請求項７】請求項１〜５の何れか１つに記載したコンクリートブロックを多段且つ煉瓦積み状に法面勾配に即応させて積層した護岸壁を形成し、それらコンクリートブロックの前後面部間に形成された空洞状部分が中間部両端側の仕切壁間底面における開放面が積層コンクリートブロックの切込み部を介して左右及び上下において連通し、しかも前面部における仕切壁より両端側の開放部により外部水域に開放したことを特徴とするコンクリートブロック魚巣。
【請求項８】請求項６に記載のコンクリートブロックを反転し底面部を上方とすると共に後面部を前面側として設定し、仕切壁間の中間部に基礎部からのアンカー鉄筋を介してコンクリートで一体化し、補強筋挿通孔に木材杆その他による支持柱を挿入支持せしめ、該支持柱に丸太やそだ等によって柵を設けて石材投入部を餌場とし仕切壁の両端の空間部を魚巣部とするようにしたことを特徴とするコンクリートブロック魚巣。」
（引用刊行物の記載事項）
 刊行物１（特開平３−５５３０７号公報）
　生態系保全ブロック及びそれを用いた護岸構造に関し、「本発明の生態系保全ブロックを用いた護岸構造は魚巣用生態系保全ブロック（１）がほぼ水面下になるように、そして、植生用生態系保全ブロック（１０）が水面上になるように積上げて構成されている。なお、第１図の例では下方から魚巣用生態系保全ブロック（１）が２段に積まれ、その上に植生用生態系保全ブロック（１０）が１段つまれているが、第２図の例では下方の魚巣用生態系保全ブロック（１）が３段に積まれ、その上に植生用生態系ブロック（１０）が積まれているため、両者はかならずしも同一施工状態を示すものではない。水路の高低水位差によって適当に設計施工する。魚巣用生態系保全ブロック（１）はその最上部が高水位時のレベルまで積まれ、水面下の護岸に苔や水草の繁茂を可能とし、魚類その他の水棲動物に生活空間を提供する」（３頁左上欄１３〜同右上欄９行）、「水面下に用いる魚巣用生態系保全ブロック（１）は第３図〜第６図にみられるように、略凸字形状の前壁（２）と、第５，６図にみられるようにそれよりも上位の方形の後壁（３）と、勾配が１：１．０の底版（４）とによって形成されている。これは上面開口のブロックであって、中ほどに一対の控え壁（５）（５）で空洞部（６）が形成され、その両側に栗石充填部（７）（７）が形成されている。前記控え壁（５）（５）のほぼ中央には丸い貫通孔（８）が設けられており、更に空洞部（６）の下方は矩形の貫通孔（９）となっている。前壁（２）の前面は擬石模様を施し、自然景観を壊さない配慮がなされている。」（３頁右上欄１４行〜同左下欄５行）、「上記魚巣用生態系保全ブロックによると、護岸の機能を果たすとともに、中ほどに形成された一対の控え壁（５）（５）によって、ブロック中央付近に大きな魚類が隠れたり、遊泳することができる室が形成されるし、水の対流も可能な空洞部（６）が形成される。前壁（２）のほぼ中央へ貫通した開口部（２０）があり、魚類の出入りが可能であるし、特にこの開口部（２０）を縦長に設けると、砂礫等により埋まった場合でも魚巣としての機能が低下しない。そして、その両端に苔や水草の繁茂や魚類その他の水棲動物に生活空間を提供する栗石の充填部（７）（７）が形成される。」（２頁左下欄１３行〜同右下欄４行）との記載がある。　また、第６図には、前後壁（２）（３）の内面は底部側を漸次厚肉に形成された記載があり、また、第４、５，８，９図には、底版（４）を設けられた両端側の前壁（２）の上方には開放部が形成された記載があり、さらに、第１図及び第２図には、魚巣用生態系保全ブロック（１）及び植生用生態系保全ブロック（１０）を多段且つ煉瓦積み状に法面勾配に即応させて積層して護岸壁を形成した記載がある。。　
　これら明細書及び図面の記載によると、刊行物１には、
「外面が実質的に平行状態の前壁（２）と後壁（３）を有し、それら前後壁の内面は底部側を漸次厚肉とした傾斜を採った空洞部（６）とすると共に中間部における両端側に控え壁（５）（５）を対設し、それら控え壁（５）（５）間の底面に貫通孔（９）を設けて開放面とし、該控え壁（５）（５）のほぼ中央に丸い貫通孔（８）を形成し、しかもこれら控え壁（５）（５）より両端側に底版（４）を設けると共に該両端側の前壁（２）上方をも開放部とし、前記底面を上記した前壁（２）および後壁（３）の外面に対して１：１．０の勾配を設けた魚巣用生態系保全ブロック。」という発明が記載されていると認める。
 刊行物２（特公平６−１１９７９号公報）
　ブロックによる土止め工法に関し、「実施例におけるブロック（１）の上面と下面には、第５図、第６図に示すように凸部（１３）と凹部（１４）とを形成し、ブロック（１）を順次積み上げて行く場合に凸部（１３）と凹部（１４）とを凹凸嵌合させ得るようにしてある。」（４欄３５〜３８行）との記載がある。
 刊行物３（特開昭６３−２３３１２３号公報）
　土留め擁壁用コンクリートブロックと、それを用いた擁壁の構築方法に関し、「所要寸法に切断した鉄筋Ｓと貫通孔（連結孔）４により下段ブロックと上段ブロックを逐次連結しつつ積み上げて擁壁の構築を行う。」（１頁右下欄４〜６行）との記載がある。
　また、第１図には、ブロックの壁面（大）２におけるブロックの接合壁３との交点部分を部分的な厚肉部とし、該厚肉部に鉄筋Ｓを挿入する貫通孔（ブロック連結孔）４が設けられた記載があり、さらに、第３図には、後面部であるブロックの壁面（小）１の両端側には前面部であるブロックの壁面（大）２に比較して解放された解放部を設けた記載がある。
 刊行物４（実開平２−７０６６８号公報）
　魚巣ブロックに関して、「（３）前記魚の出入口３の下流側に於いて前記ブロック１Ａ、１Ｂの前面に、川水の流れを妨げる突起９を設けた・・・魚巣ブロック。」（実用新案登録請求の範囲）との記載がある。
 刊行物５（特開昭５８−８６２２２号公報）
「（５）コンクリートには、割り石、切り石等の自然石に近い色とするための顔料を混入することを特徴とする・・・コンクリート擁壁の石積模様形型枠工法。」（特許請求の範囲）との記載がある。
（対比・判断）
　先ず、訂正明細書の請求項１に係る発明と刊行物１記載の発明とを対比すると、刊行物１記載の発明の「前壁（２）」、「後壁（３）」、「空洞部（６）」、「控え壁（５）」、「底版（４）」、「魚巣用生態系保全ブロック」は、訂正明細書の請求項１に係る発明の「前面部」、「後面部」、「空洞状部分」、「仕切壁」、「底面部」、「魚巣用コンクリートブロック」に相当するから、両者は、「外面が実質的に平行状態の前面部と後面部を有し、それら前後面部の内面は底部側を漸次厚肉とした傾斜を採った空洞状部分とすると共に中間部における両端側に仕切壁を対設し、それら仕切壁間の底面を開放面とし、該仕切壁に開口部を形成し、しかもこれら仕切壁より両端側に底面部を設けると共に該両端側の前面部上方又は全面をも開放部とした魚巣用コンクリートブロック。」である点で一致し、
　１）仕切壁に形成された開口部が、訂正明細書の請求項１に係る発明は、仕切壁の上部に切込み部を形成して構成しているのに対し、引用刊行物１記載の発明は、仕切壁のほぼ中央部に貫通孔を形成して構成している点、
　２）訂正明細書の請求項１に係る発明は、積層したブロック間連結のための凹凸を仕切壁、後面壁の何れか一方または双方に設けると共に仕切壁部分の前面部に突出部を形成しているのに対し、引用刊行物１記載の発明は、そのような凹凸及び突出部を形成していない点、
　３）底面が、訂正明細書の請求項１に係る発明は、前面部および後面部の外面に対して直角状であるのに対し、引用刊行物１記載の発明は、前面部および後面部の外面に対して１：１．０の勾配を設けている点、
で相違している。
　上記相違点について検討すると、積層したブロック間連結のための凹凸を後面壁に設けることは、刊行物２及び特開昭６３ー３６７２３号公報等に示すように周知技術であり、また、仕切壁部分の前面部に突出部を形成することは、刊行物４及び実開平１ー９０８２１号公報、実開平２ー１２０５１９号公報（本件特許明細書の【０００２】【従来の技術】の項参照）等に示すように周知技術であると認める。さらに、魚巣用コンクリートブロックの底面を前面部および後面部の外面に対して直角状とすることも特開昭６３ー３６７２３号公報、実開平５ー３２４２５号公報（本件特許明細書の【０００２】【従来の技術】の項参照）等に示すように周知技術であると認める。
　そうしてみると、訂正明細書の請求項１に係る発明の上記相違点２）、３）の構成は、刊行物１記載の発明に上記周知技術を付加または適用することで当業者が容易に想到し得た程度のものと認める。
　しかしながら、刊行物２〜５には、相違点１）における訂正明細書の請求項１に係る発明の「仕切壁の上部に切込み部を形成する」との構成は、記載されても示唆されてもいない。
　そして、訂正明細書の請求項１に係る発明は、上記の構成によって、「空洞部内に栗石等を相当量充填しても該切込み部が塞がれることがなく、魚巣ブロック内を魚等が自由に行き来できる関係が実現される。」（特許異議意見書４頁２７〜２８行参照）という、魚巣用コンクリートブロックとして格別の効果を奏し得るものである。
　よって、訂正明細書の請求項１に係る発明は、刊行物１〜５記載の発明に基づき当業者が容易に発明をすることができたものとすることはできない。
　次に、訂正明細書の請求項２〜８に係る発明について検討すると、訂正明細書の請求項２〜８に係る発明は、いずれも請求項１を引用するものであるから、訂正明細書の請求項１に係る発明について検討したように、上記の刊行物１〜５記載の発明に基づき当業者が容易に発明をすることができたものとすることはできない。
　また、取消理由通知で指摘した本件特許明細書の記載不備は、上記訂正により解消された。
　そして、訂正明細書の請求項１〜８に係る発明は、他に特許を受けることができないとする理由も発見できないから、特許出願の際独立して特許を受けることができるものである。
（むすび）
　以上のとおりであるから、上記訂正は、特許法等の一部を改正する法律（平成６年法律第１１６号。以下「平成６年改正法」という）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　　　　　　
３．特許異議申立てについての判断
（１）本件請求項１〜８に係る発明
　上記２．で判断したように、上記訂正が認められるから、本件請求項１〜８に係る発明は、訂正明細書の特許請求の範囲の請求項１〜８に記載されたとおりのものである（上記「２．（３）」（訂正明細書の請求項１〜８に係る発明）」の記載参照）。
（２）申立ての理由の概要
　特許異議申立人氏永孝仁は、下記の甲第１〜８号証を提出して、訂正前の請求項１〜９に係る発明は、甲第１号証に記載された発明であるか、または甲第１〜８号証に記載された発明に基づいて当業者が容易に発明をすることができたものであるから、特許法第２９条第１項第３号または特許法第２９条第２項の規定に違反して特許されたものであり、当該特許は取り消されるべきである旨主張している。
（３）証拠方法及びその記載事項
　甲第１号証（特開平３−５５３０７号公報）
　「上記刊行物１の記載事項参照」　
　甲第２号証（特公平６−１１９７９号公報）
　「上記刊行物２の記載事項参照」　
　甲第３号証（特開昭６３−２３３１２３号公報）
　「上記刊行物３の記載事項参照」　
　甲第４号証（実開平２−７０６６８号公報）
　「上記刊行物４の記載事項参照」　
　甲第５号証（特開昭５８−８６２２２号公報）
　「上記刊行物４の記載事項参照」　
　甲第６号証（特公昭５５ー４７１６６号公報）
　護岸壁の構築方法と魚巣ブロックに関し、「１　河川などにおける最低水位以下の位置と河床間に魚巣ブロックを、最低水位以上の位置に通常ブロックをそれぞれ組積することを特徴とする護岸壁の構築方法。２　魚巣ブロックの天地を反転して河川などにおける最高水位以上の位置に植樹ブロックとして構築することを特徴とする特許請求の範囲第１項記載の護岸壁の構築方法。３　開口を設けた基体の背面に筒状体または函体を背設し、開口の上部に庇を突設すると共に筒状体または函体の天井にガス排出口を貫設して成る魚巣ブロック。」（特許請求の範囲）、「魚巣ブロックを植樹ブロックに転用するときは生息室が土壌溜め部に、開口及び庇が植樹部となるものであり、水生生物の保護育成と護岸壁法面の緑化を図ることを目的とする。」（１欄３６行〜２欄２行）、の記載がある。
　甲第７号証（特開平３ー８９２７号公報）
  「擁壁築造の基礎地盤に基礎ラインに沿って鉄筋を配設し、土留版の背面から角度をなして後方に張出し、接地する控尻で土留版を築造擁壁の法面角度に支持する支持控を設けたプレキャストブロックを、前記配設鉄筋を跨ぐようにして並列設置すると共に、土留版と支持控が跨ぐ配設鉄筋を含む支持控下部の空隙に硬化材を充填して擁壁基礎体を構築することを特徴とするブロック擁壁の築造工法」（特許請求の範囲（１））、「更に注入孔２１から空隙部３にコンクリート等の硬化材を注入して間詰し、鉄筋Ｍを含めた擁壁ブロックの基礎を完全に固めてしまう。」（３頁左上欄６〜８行）との記載がある。
　甲第８号証（特開平５ー３０２３１２号公報）
　「Ｌ型ブロック本体３の直立壁板部１には、左右２本のスリット４が設けられ、これらスリット４を除く全面に石張模様１９が描かれ、周囲の風景との調和が保たれている。仕切り体９の定着部材１０としては、下部のナット型インサートにねじ込み固定したねじ込みピンが左右２本使用されている。Ｌ型ブロック３の底板部２には定着孔１１を４箇所設けてある。この定着孔１１に定着部材１０の下部を差し込むことによってブロック本体３に対して仕切り体９が取り付けられ、砂や砂利，礫，栗石，砕石等の生態系保持用部材５ａを収容するための空間６が形成される。」（３欄２０〜３０行）、「仕切り体９は図５と図６に示されるように１０本の擬木ブロックを並べて接合材１６によって一連に接合したものである。」（３欄３８〜４０行）との記載がある。
（４）対比・判断
　先ず、本件請求項１に係る発明について検討すると、甲第１〜５号証は引用刊行物１〜５と同一刊行物であるから、甲第１〜５号証記載の発明との対比・判断は上記「２.（３）」で検討したとおりであり、以下、甲第５〜８号証記載の発明との対比・判断について検討する。
　本件請求項１に係る発明の「仕切壁の上部に切込み部を形成する」構成は、甲第１〜５号証同様に甲第６〜８号証にも記載されても示唆されてもいない。
　そうしてみると、本件請求項１に係る発明は、甲第１号証記載の発明と同一発明ではないと共に甲第１〜８号証記載の発明に基づき当業者が容易に発明をすることができたものであるとすることができない。
　次に、本件請求項２〜８に係る発明について検討すると、本件請求項２〜８に係る発明は、請求項１を引用するものであるから、本件請求項１に係る発明について検討したように、甲第１号証記載の発明と同一発明ではないと共に甲第１〜８号証記載の発明に基づき当業者が容易に発明することができたものでもない。
（５）むすび
　したがって、特許異議申立ての理由及び証拠方法によっては、本件請求項１〜８に係る発明の特許を取り消すことはできない。
　また、他に本件発明の特許を取り消すべき理由を発見しない。
　よって、結論のとおり決定する。
【異議決定日】
平成１３年３月３０日（２００１．３．３０）
【訂正の要旨】
１．特許請求の範囲の減縮または明りょうでな記載の釈明を目的として、下記ａ）〜ｇ）の特許請求の範囲の訂正をする。
　ａ）特許請求の範囲の請求項１の「しかもこれら仕切壁より両端側に底面部を設けると共に該両端側の前面部上方又は全面をも開放部とした」の記載を「該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状とした」に訂正する。
　ｂ）特許請求の範囲の請求項１を削除する。
　ｃ）特許請求の範囲の請求項５を請求項５に繰り上げると共に「請求項１〜４」を「請求項１〜３」に訂正する。
　ｄ）特許請求の範囲の請求項６を請求項５に繰り上げると共に「無色またはカラーコンクリートや」の記載を削除し、「請求項１〜５」を「請求項１〜４」に訂正する。
　ｅ）特許請求の範囲の請求項７を請求項６に繰り上げると共に「仕切壁間の」の記載を「仕切壁の」に訂正する。
　ｆ）特許請求の範囲の請求項８を請求項７に繰り上げると共に「請求項１〜６」を「請求項１〜５」とし、さらに「開放面において連通し」を「開放面が積層コンクリートブロックの切込み部を介して左右及び上下において連通し」に訂正する。
　ｇ）特許請求の範囲の請求項９を請求項８に繰り上げると共に「請求項７に記載」を「請求項６に記載」とし、さらに「支持壁間の中間部に」を「仕切壁間の中間部に」とし「支持壁の両端の」を「仕切壁の両端の」に訂正する。
２．明りょうでない記載の釈明を目的として、下記ｈ）〜ｏ）の発明の詳細な説明の訂正をおこなう。
　ｈ）明細書の段落【００１２】の「しかもこれら仕切壁より両端側に底面部を設けると共に該両端側の前面部上方又は全面をも開放部とした」の記載を「該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状とした」に訂正する。
　ｉ）明細書の段落【００１５】の記載を削除する。
　ｊ）明細書の段落【００１６】（５）を段落【００１５】（４）に繰り上げると共に「（１）〜（４）」の記載を「（１）〜（３）」に訂正する。
　ｋ）明細書の段落【００１７】（６）を段落【００１６】（５）に繰り上げると共に「無色またはカラーコンクリートや」の記載を削除し、「（１）〜（５）」の記載を「（１）〜（４）」に訂正する。
　ｌ）明細書の段落【００１８】（７）を段落【００１７】（６）に繰り上げると共に「仕切壁間の」の記載を「仕切壁の」に訂正する。
　ｍ）明細書の段落【００１９】（８）を段落【００１８】（７）に繰り上げると共に「前記（１）〜（６）」を「前記（１）〜（５）」とし、さらに「開放面において連通し」を「開放面が積層コンクリートブロックの切込み部を介して左右及び上下において連通し」に訂正する。
　ｎ）明細書の段落【００２０】（９）を段落【００１９】（８）に繰り上げると共に「前記（７）項に記載」を「前記（６）項に記載」とし、さらに「支持壁間の中間部に」を「仕切壁間の中間部に」とし「支持壁の両端の」を「仕切壁の両端の」に訂正する。
　ｏ）明細書の段落【００２１】〜【００４５】を段落【００２０】〜【００４４】に繰り上げる訂正をする。
（５４）【発明の名称】
魚巣用コンクリートブロックおよびコンクリートブロック魚巣
（５７）【特許請求の範囲】
１．特許請求の範囲の減縮または明りょうでな記載の釈明を目的として、下記ａ）〜ｇ）の特許請求の範囲の訂正をする。
　ａ）特許請求の範囲の請求項１の「しかもこれら仕切壁より両端側に底面部を設けると共に該両端側の前面部上方又は全面をも開放部とした」の記載を「該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状とした」に訂正する。
　ｂ）特許請求の範囲の請求項１を削除する。
　ｃ）特許請求の範囲の請求項５を請求項５に繰り上げると共に「請求項１〜４」を「請求項１〜３」に訂正する。
　ｄ）特許請求の範囲の請求項６を請求項５に繰り上げると共に「無色またはカラーコンクリートや」の記載を削除し、「請求項１〜５」を「請求項１〜４」に訂正する。
　ｅ）特許請求の範囲の請求項７を請求項６に繰り上げると共に「仕切壁間の」の記載を「仕切壁の」に訂正する。
　ｆ）特許請求の範囲の請求項８を請求項７に繰り上げると共に「請求項１〜６」を「請求項１〜５」とし、さらに「開放面において連通し」を「開放面が積層コンクリートブロックの切込み部を介して左右及び上下において連通し」に訂正する。
　ｇ）特許請求の範囲の請求項９を請求項８に繰り上げると共に「請求項７に記載」を「請求項６に記載」とし、さらに「支持壁間の中間部に」を「仕切壁間の中間部に」とし「支持壁の両端の」を「仕切壁の両端の」に訂正する。
２．明りょうでない記載の釈明を目的として、下記ｈ）〜ｏ）の発明の詳細な説明の訂正をおこなう。
　ｈ）明細書の段落【００１２】の「しかもこれら仕切壁より両端側に底面部を設けると共に該両端側の前面部上方又は全面をも開放部とした」の記載を「該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状とした」に訂正する。
　ｉ）明細書の段落【００１５】の記載を削除する。
　ｊ）明細書の段落【００１６】（５）を段落【００１５】（４）に繰り上げると共に「（１）〜（４）」の記載を「（１）〜（３）」に訂正する。
　ｋ）明細書の段落【００１７】（６）を段落【００１６】（５）に繰り上げると共に「無色またはカラーコンクリートや」の記載を削除し、「（１）〜（５）」の記載を「（１）〜（４）」に訂正する。
　ｌ）明細書の段落【００１８】（７）を段落【００１７】（６）に繰り上げると共に「仕切壁間の」の記載を「仕切壁の」に訂正する。
　ｍ）明細書の段落【００１９】（８）を段落【００１８】（７）に繰り上げると共に「前記（１）〜（６）」を「前記（１）〜（５）」とし、さらに「開放面において連通し」を「開放面が積層コンクリートブロックの切込み部を介して左右及び上下において連通し」に訂正する。
　ｎ）明細書の段落【００２０】（９）を段落【００１９】（８）に繰り上げると共に「前記（７）項に記載」を「前記（６）項に記載」とし、さらに「支持壁間の中間部に」を「仕切壁間の中間部に」とし「支持壁の両端の」を「仕切壁の両端の」に訂正する。
　ｏ）明細書の段落【００２１】〜【００４５】を段落【００２０】〜【００４４】に繰り上げる訂正をする。
　【書類名】　　明細書
（５４）【発明の名称】　　魚巣用コンクリートブロックおよびコンクリートブロック魚巣
（５７）【特許請求の範囲】
　【請求項１】　外面が実質的に平行状態の前面部と後面部を有し、それら前後面部の内面は底部側を漸次厚肉とした傾斜を採った空洞状部分とすると共に中間部における両端側に仕切壁を対設し、それら仕切壁間の底面を開放面とし、該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状としたことを特徴とする魚巣用コンクリートブロック。
　【請求項２】　後面部を前面部より厚肉とし、該後面部における仕切壁との交点部分に補強鉄筋挿通孔を設けたことを特徴とする請求項１に記載の魚巣用コンクリートブロック。
　【請求項３】　後面部における仕切壁との交点部分を部分的な厚肉部とし、該部分的厚肉部に補強鉄筋挿通孔を設けたことを特徴とする請求項１に記載の魚巣用コンクリートブロック。
　【請求項４】　中間部における両端側に対設された仕切壁間の前面部頂部または中間部に開口部を設けたことを特徴とする請求項１〜３の何れか１つに記載の魚巣用コンクリートブロック。
　【請求項５】　前面部の外面に擬石、擬木等の天然または人工的模様を形成し、表面部の浸透着色や塗料による美化層を形成したことを特徴とする請求項１〜４の何れか１つに記載の魚巣用コンクリートブロック。
　【請求項６】　前面部における仕切壁の両端側頂部に部分的切欠部を形成し、後面部両端側の頂部または中央部に開口部を設けたことを特徴とする請求項１〜３の何れか１つに記載の魚巣用コンクリートブロック。
　【請求項７】　請求項１〜５の何れか１つに記載したコンクリートブロックを多段且つ煉瓦積み状に法面勾配に即応させて積層した護岸壁を形成し、それらコンクリートブロックの前後面部間に形成された空洞状部分が中間部両端側の仕切壁間底面における開放面が積層コンクリートブロックの切込み部を介して左右及び上下において連通し、しかも前面部における仕切壁より両端側の開放部により外部水域に開放したことを特徴とするコンクリートブロック魚巣。
　【請求項８】　請求項６に記載のコンクリートブロックを反転し底面部を上方とすると共に後面部を前面側として設定し、仕切壁間の中間部に基礎部からのアンカー鉄筋を介してコンクリートで一体化し、補強筋挿通孔に木材杆その他による支持柱を挿入支持せしめ、該支持柱に丸太やそだ等によって柵を設けて石材投入部を餌場とし仕切壁の両端の空間部を魚巣部とするようにしたことを特徴とするコンクリートブロック魚巣。
【発明の詳細な説明】
　【０００１】
　【産業上の利用分野】
　本発明は魚巣用コンクリートブロックおよびコンクリートブロック魚巣に係り、餌場と共に棲息空間を適切に組合わせて形成した魚巣用コンクリートブロックおよび該ブロックによる魚巣を提供しようとするものである。
　【０００２】
　【従来の技術】
　河川や湖沼などの水辺岸壁を保護するためのコンクリートブロックないし、このコンクリートブロックを用いて形成されるコンクリートブロック護岸壁については従来から種々の提案が重ねられ、また実施施工されている。然しこのような河川などにおける水際法面が単にコンクリートブロックで被覆されたままでは河川等を棲息場所としている魚類などの生態系を大きく変化せしめ自然環境が損われることは明かで、近時においては生活環境ないし自然を保護することの重要性が論ぜられ、その対策が講ぜられつつある。
　【０００３】
　即ち、上記のような水辺岸壁を単に保護するだけでなく、魚類等の棲息に適した部分を形成することについて、例えば実開昭６２‐４９５９号公報、実開平５‐３２４２５号公報ではブロックの内部に空洞部分を形成し魚巣を形成することについての手法が提案され、連設されたブロック間に挿筋して連結構築を図り、また陽光の入射関係などを制限して好ましい魚類などの生息条件を形成することが提案されている。
　【０００４】
　また実開昭６２‐１７２７１６号公報においては、底板部に対して少許幅の狭い上板部を一定の間隔をおいて対設し、かつ上板部を底板部に対し少許前後方向にずらした状態において両側を閉塞して蓋形（平行四辺形）の側面部を一体に形成し、該側面部に貫通孔を穿設した魚巣ブロックが提案されている。即ち底板部から突出傾斜した上板部が所定間隔を採って配設された魚礁ブロック群が形成されるようにしたものである。
　【０００５】
　更に実開平１‐９０８２１号公報、実開平２‐１２０５１９号公報においては、前壁に開口部を有し上下が連通する枠本体においてその前壁開口部に近接して突起を形成した魚礁用護岸ブロックおよび該ブロックにおける上下に連通した魚類生息室に自然石または分室ブロックを収容させることが発表されている。
　【０００６】
　なお特開昭６３‐３６７２３号公報、実開平５‐６８２６１号公報においては空洞部と窓孔を形成して魚類の回遊ないし営業をなすようにすると共に植物育生用棚面部ないし凹部を形成し、漁礁と共に植生用として利用できるブロックが提案されている。
　【０００７】
　【発明が解決しようとする課題】
　上記したような従来技術によるものはそれぞれにメリットを有しているとしても魚巣護岸ブロックとした場合において必ずしも好ましいものとなし得ない。即ち前記した実開昭６２‐４９５９号公報や実開平５‐３２４２５号公報のものにおいては成程魚類がブロック内に進入退避し得る程度であってそれ以上に休息しまたは食餌するに適したような部分がなく、形成されたブロック護岸の強度なども充分でない。
　【０００８】
　実開昭６２‐１７２７１６号公報によるものも、魚類がブロック内に進入し得る程度であって、また比較的薄層の底面部から側面部を介して面積的には半減程度の上板部が部分的に突出して形成された程度のものであるから構成された護岸ブロック壁に充分な安定性や強度に求め難い不利がある。
　【０００９】
　また実開平１‐９０８２１号公報や実開平２‐１２０５１９号公報のものにおいてもブロック内空洞部に魚類が進入退避し得る程度であることは上述同様であって、内部に天然石材などを装入して利用し得るに過ぎず、魚巣としてそれ以上のメリットは求めることができない。
　【００１０】
　更に特開昭６３‐３６７２３号公報や実開平５‐６８２６１号公報のものにおいても、魚巣と緑化に転用でき、単一品種ブロックの量産によって製造コストを節減できるということにすぎず、魚巣用とした場合には魚類が単に進入退避し得る程度であって休息や食餌などに適したものとなし得ない。又、魚巣ブロック設置による集魚状況の観察結果からも魚巣ブロック周辺に水草を配置することによって数倍の魚体数が観測されているとの報告もあり、単なる魚巣ブロックのみではあまり集魚効果がないことが判明しつつある。
　【００１１】
　【課題を解決するための手段】
　本発明は上記したような従来技術における課題を解消することについて検討を重ね、魚類の進入退避と共に藻類の付着や水草などを生育せしめ、食餌や休息と共に好ましい運動域を護岸ブロック内に形成し、しかも該ブロック護岸壁に充分な強度性を確保することに成功したものであって、以下の如くである。
　【００１２】
（１）　外面が実質的に平行状態の前面部と後面部を有し、それら前後面部の内面は底部側を漸次厚肉とした傾斜を採った空洞状部分とすると共に中間部における両端側に仕切壁を対設し、それら仕切壁間の底面を開放面とし、該仕切壁の上部に切込み部を形成し、積層したブロック間連結のための凹凸を仕切壁、後面壁の何れか一方または双方に設けると共に仕切壁部分の前面部に突出部を形成し、しかもこれら仕切壁より両端側に底面部を設けると共に該両端側の前面部上方又は全面をも開放部とし、前記底面を上記した前面部および後面部の外面に対して直角状としたことを特徴とする魚巣用コンクリートブロック。
　【００１３】
（２）　後面部を前面部より厚肉とし、該後面部における仕切壁との交点部分に補強鉄筋挿通孔を設けたことを特徴とする前記（１）項に記載の魚巣用コンクリートブロック。
　【００１４】
（３）　後面部における仕切壁との交点部分を部分的な厚肉部とし、該部分的厚肉部に補強鉄筋挿通孔を設けたことを特徴とする前記（１）項に記載の魚巣用コンクリートブロック。
　【００１５】
（４）　中間部における両端側に対設された仕切壁間の前面部頂部または中間部に開口部を設けたことを特徴とする前記（１）〜（３）項の何れか１つに記載の魚巣用コンクリートブロック。
　【００１６】
（５）　前面部の外面に擬石、擬木等の天然または人工的模様を形成し、表面部の浸透着色や塗料による美化層を形成したことを特徴とする前記（１）〜（４）項の何れか１つに記載の魚巣用コンクリートブロック。
　【００１７】
（６）　前面部における仕切壁の両端側頂部に部分的切欠部を形成し、後面部両端側の頂部または中央部に開口部を設けたことを特徴とする前記（１）〜（３）項の何れか１つに記載の魚巣用コンクリートブロック。
　【００１８】
（７）　前記（１）〜（５）項の何れか１つに記載したコンクリートブロックを多段且つ煉瓦積み状に法面勾配に即応させて積層した護岸壁を形成し、それらコンクリートブロックの前後面部間に形成された空洞状部分が中間部両端側の仕切壁間底面における開放面が積層コンクリートブロックの切込み部分を介して左右及び上下において連通し、しかも前面部における仕切壁より両端側の開放部により外部水域に開放したことを特徴とするコンクリートブロック魚巣。
　【００１９】
（８）　前記（６）項に記載のコンクリートブロックを反転し底面部を上方とすると共に後面部を前面側として設定し、仕切壁間の中間部に基礎部からのアンカー鉄筋を介してコンクリートで一体化し、補強筋挿通孔に木材杆その他による支持柱を挿入支持せしめ、該支持柱に丸太やそだ等によって柵を設けて石材投入部を餌場とし仕切壁の両端の空間部を魚巣部とするようにしたことを特徴とするコンクリートブロック魚巣。
　【００２０】
　【作用】
　外面が実質的に平行状態の前面部と後面部を有し、それら前後面部の内面は底部側を漸次厚肉とした傾斜を採った空洞状部分とすると共に中間部における両端側に仕切壁を対設し、それら仕切壁間の底面を開放面とし、しかもこれら仕切壁より両端側に底面図を設けると共に該両端部の前面部上方又は全面をも開放部としたことにより、コンクリートブロックに適当な強度を付与して複数個のブロックによる多段の積載設定を可能とし、また仕切壁より両端側の前面部上方又は中間部に形成された開放部を外部水域に対する出入口とし空洞状部分を棲息域や避難所とした魚巣を形成する。
　【００２１】
　後面部を前面部より厚肉とし、該後面部における仕切壁との交点部分に補強鉄筋挿通孔を設けたことにより強固なコンクリートブロック護岸壁などを形成し、しかもそうした護岸壁ブロック内を有効な魚巣として利用せしめる。
　【００２２】
　後面部における仕切壁との交点部分を部分的な厚肉部とし、該部分的厚肉部に補強鉄筋挿通孔を設けたことによっても強固なコンクリートブロック護岸などを形成し、しかも比較的軽量なコンクリートブロックを用い、該ブロック内を有効な魚巣として利用せしめる。
　【００２３】
　中間部における両端側に対設された仕切壁の上部に切込み部を形成したことによって中間部空洞状部分とこの仕切壁によって仕切られた部分とを相互に連通せしめ一連の餌場と住処である魚巣との間をブロック内で往復できるようにしてある。
　【００２４】
　中間部における両端側に対設された仕切壁間の前面部頂部または中央部に開口部を設けたことによってこの開口部を通じて外部水域との間に魚類などの出入可能な関係を形成すると共に、採光により空間部に明暗を作り出し、多種の魚類棲息に適した空間を提供しブロック内の魚巣としての利用性を向上する。
　【００２５】
　前面の仕切壁の両側の棚部に玉石等の石材の投入や土砂などの自然の貯留によって藻類の付着や水草等の生育が得られ、水生昆虫や甲殻類の生育場所、魚介類の餌場を形成すると共に、隣接部の魚巣や外部水域との出入りが自由に行われ、また、仕切壁の前面部外面に形成された突起部が水の流れを妨げ、澱み部を形成し、餌場や魚巣の出入りを容易化する。
　【００２６】
　前記したような何れかのコンクリートブロックを多段且つ煉瓦積み状に積層した護岸壁を形成し、それらコンクリートブロックの前後面部間に形成された空洞状部分が中間部両端側の仕切壁間底面における開放面において連通し、しかも前面部における仕切壁より両端側の開放部により外部水域に開放したことにより魚巣の隣接部に餌場を備えた護岸壁を形成し、しかも該護岸壁の内部を適度の明暗を形成し多種の魚類に対応できる好ましい魚巣として利用せしめる。また急勾配から緩勾配の各種法面に自在に使用できるので適用範囲が広い。
　【００２７】
　このブロックが水中に使用され、人目に余り触れないとしても、前面部の外面を玉石や岩等の擬石や丸太、焼板等の擬木模様とし、適宜カラーコンクリートや浸透着色剤ないし塗料により着色することで天然物の雰囲気を適切に醸し出し、自然環境により順応した構造物とすることができる。
　【００２８】
　前記したように補強筋挿通孔を形成して仕切壁間の両側の前面部外壁上部に部分的切欠部を形成し、また後面部両端側の頂部又は中央部に開口部を設けたコンクリートブロックを反転し底面部を上方とすると共に後面部を前面側として基礎部上に設定し、補強筋挿通孔に木材杆その他による支持柱を挿入支持せしめ、該支持柱に丸太等の木材や粗朶で編んで柵を形成し、ブロック上部と柵の間に石材を装入せしめ、該石材の空隙部を水生昆虫や甲殻類の生息場とし、表層部を付着藻類や水草の生育による魚介類の餌場とするようにしたことによって、浅瀬状の水際部分の法留めをなすと共にブロック内の空間部を魚介類の住処や避難場所とした魚巣を形成する。
　【００２９】
　コンクリートブロックの支持壁間における空洞状部分にコンクリートを装入充填凝結せしめて基礎部に連結したことにより、魚巣機能を有する丸太柵や柳枝工による水際部を形成しより自然に近い護岸とする。
　【００３０】
　【実施例】
　上記したような本発明によるものの具体的な実施態様を添付図面に示すものについて説明すると、本発明による魚巣用コンクリートブロックの基本的な構成の１つは図１に示す如くであって、外面１１ａ、１２ａが実質的に平行状態である前面部１１と後面部１２とを有し、これらの前後面部１１、１２はそれらの内面１１ｂ、１２ｂが底部側を漸次肉厚とした傾斜を採った空洞状部分１４とされている。またこのような前後面部１１、１２の長さ方向中間部における両端側には仕切壁１３、１３を対設してある。
　【００３１】
　また上記のような仕切壁１３、１３間（即ち長さ方向中間部）はその底面を図８などに示すように少くとも一部において開放面１５とされ、しかもこれらの仕切壁１３、１３より両端側における前面部１１上方部分を開放部１６としたものであり、なおこのような両端側には底部１７が形成されているが、該両端側底部１７の両端には水抜き部１８が設けられている。
　【００３２】
　図２には全般的な構成は図１のものと同じで、また仕切壁１３の上部には切込み部１９を設けたものであり、この図２においては前面部表面には玉石等の自然石模様３６が施され、また図３のものにおいてはの前面部表面に擬石模様３７が形成されており、更に図２のものでは後面部１２の厚さは前面部１１より相当に大とされている。しかもこのように厚さを大とされた後面部１２において仕切壁１３と交点部分に補強鉄筋挿入孔２１が形成され、異形棒鋼などの補強鉄筋とモルタル又はコンクリートなどの凝結材を装入充填するようになっている。
　【００３３】
　また図２のものにおいてはこのような後面部１２の頂部には嵌合突部２２を形成すると共に頂部より更に厚層となっている後面部底面には嵌合凹部２３が形成されていて、このようなコンクリートブロック１を多段に積層した場合には上段ブロックの嵌合凹部２３に下段ブロックの嵌合突部２２を嵌合することにより施工時の前後左右方向の移動を防止するものであるが、何れにしても厚層に形成された後面部１２は上記した補強鉄筋挿入孔２１における挿入凝結鉄筋と相侯って強固なブロック護岸壁を構築することは明かである。
　【００３４】
　図３のものは図１と同様に後面部１２の仕切壁１３との交点部分で部分的な厚肉部２４を形成し、このような厚肉部２４に補強鉄筋挿入孔２１を形成したもので比較的軽量であって、しかも強固なブロック壁を形成するように成っているが、図１、２のものは仕切壁１３、１３より両端側の前面部１１上方には開放部１６が形成されているが、同様に仕切壁１３、１３間の前面部１１における中間部に開口部１０が形成されており、図２の前面部１１の頂部に形成された開口部１０と同様に空洞状部分１４内への採光、通水および魚類等の出入を図っている。
　【００３５】
　図４〜図８に示したものは、図４が平面図、図５が正面図、図６が側面図、図７が仕切壁部の断面図、図８が魚巣中央部の断面図であり、仕切壁１３の頂部に仕切壁嵌合突部２５が形成され底部に仕切壁嵌合凹部２６を形成したもので、ブロック１の中間部においてそれらの突部２５と凹部２６による結合を図り施工時のズレを防止すると共に全般の組立状態を安定化するようにされたものである。
　【００３６】
　図９には上記したような本発明ブロックによる護岸壁において魚巣を構成した態様が部分的に中間を省略した状態で示されているが、図１〜図８に示したようなブロック１を多段且つ煉瓦積み状に積層して護岸壁を構成することにより仕切壁１３が上下方向において直線状に連続した状態に位置することになり、仕切壁間空洞状部分１４と仕切壁１３より両端側部分が上記のような煉瓦積み状積層で両側から突き合わせ状態として形成された皿状部分１４ａとが交互に位置することになる。即ち皿状部分１４ａには自然石などを装入し、また自然貯蔵物などにより藻類９などが付着したり水草９ａが生育し魚介類の餌場となり、また石材間の空隙部は水生昆虫、甲殻類の住処となる。しかもその上方、下方、左右方向のそれぞれに魚巣としての空洞状部１４が連結された広い水域を形成することは明らかである。
　【００３７】
　なお仕切壁１３の頂部に形成された切込み１９は上記したような皿状部分１４ａおよび空洞状部分１４を横方向において相互に連結し魚類などは適宜に隣接部分１４、１４ａに移ることが可能であってブロック壁の全般を好ましい餌場つきの魚巣機構として利用することができる。
　【００３８】
　また外水域との全般的な関係は別に図１０として示す如くであって、外水域８の魚類７は餌場の開放部１６へ、または開口部１０からブロック壁内魚巣に進入し、採餌また休憩後に外水域８に出て大きく遊泳することが可能であって、魚類７などに健全な生育を得しめることは明かである。魚巣ブロックの上方には適宜植生用ブロック等の護岸用ブロック４７を積むことにより適宜に地上における植物類を成長せしめ、それが垂れ下がって日影部などを形成するので、より自然環境にマッチした構成とすることができる。
　【００３９】
　図１１と図１２には本発明における緩勾配用の魚巣ブロックが示されており、餌場の石材などが魚巣部に入り込まないように仕切壁１３より両端側の前面壁を完全に省略し、開放域２７とした本発明のコンクリートブロック１が示されている。なおこのような図１１、図１２のコンクリートブロック１における中央部分、即ち仕切壁１３、１３の間の部分についての断面は別に図１３として示す如くで、洪水時などの流水で貯まった石材等が魚巣部に入り込まないように前面部１２の底部から庇３９を付けたものであり、図１０までにおいて示した底面部を図８のような全面開放部１５とすることに代えて部分的開放部２８となし、前面部側に閉塞突壁２９を突設して魚類が餌場に出入りし易いように流水を止めて澱み部を形成するようにすることが好ましい。なおこのような閉塞突壁２９は基本的なブロック成形型の該閉塞突壁２９相当部分に置かれた部分的アタッチメントを除去することによって簡易に形成することができる。
　【００４０】
　上記した図１１〜図１３のようなコンクリートブロックによる魚巣の構成状態は別に図１４として示された如くで、ベースブロック４に対して各コンクリートブロックは法面勾配が１：２以上の緩い傾斜の法面勾配に合わせてセットされることにより連接ブロック群内に連続した魚巣域５を形成することができ、開放域２７は魚類の自由な通行を可能としたもので急勾配に使用される図１０の場合と同様に各ブロックに連続した好ましい魚巣が構成される。
　【００４１】
　図１５には後面部１２に部分的開放部３０を形成したものが示されており、即ち後面部１２は完全閉塞状態を一般的になすものであるが前記したようなコンクリートブロックを得るための成形型において、その部分的開放部３０に相当した部分的アタッチメントをセットすることにより同じ基本型を用いてこの部分的開放部３０を的確に成形することができる。
　【００４２】
　然してこのブロック１においては後面部１２に補強鉄筋挿入孔２１が形成されていることは前記した図１〜４または図７などのものと同じであるが、斯かるブロック１は図１６または図１７のように仕切壁１３部分の前記挿入孔２１に対し木材杆その他による支持柱３を挿入し基礎部３１上にその後面部１２を外部水域８に向けた前面側とした反転状態で設定し、空洞状部分などに適宜コンクリートなどを充填し凝結充填層３２を形成することにより強固に固定することができる。
　【００４３】
　この図１６〜１７に示すように支持柱３を用いて定着されたブロック１はその後面部１２における部分的開放部３０において図１８に示すように外水域８に通じた開口部を形成し、ブロック１自体を魚巣として利用し得る。また前記支持柱３を適度にブロック１上に突出した状態となし、このようにして配設された複数の支持柱３、３に対して丸太等の木材や粗架の如きを用いて柵部３３を形成し、玉石などの天然石材３４を柵部３３の背面にセットすることにより付着藻類や水草などの生育に伴い魚介類の餌場とすると共に天然石３４内空隙部に水生昆虫や甲殻類が進入棲息棲息できる餌場つき魚巣３５とすることができる。
　【００４４】
　【発明の効果】
　以上説明したような本発明によるときはコンクリートブロックによって水生昆虫などの棲息場や魚介類の餌場と共に魚類の住み場所や避難場所としての棲息空間を適切に組合わせ、魚類等が自在に出入し棲息することのできるようにした好ましい餌場つき魚巣をコンクリートブロックの内部全般を利用して有利に構成し、自然に近い棲息条件を備えた魚巣を提供し、しかも表面に自然石材などの模様や彩色を施すことにより周囲の景観に違和感なくマッチした護岸ブロックとなり、かつ好ましい強度ないし安定性を確保することができるなどの効果を有しており、工業的にその効果の大きい発明である。
【図面の簡単な説明】
　【図１】
　本発明による魚巣用コンクリートブロックの急勾配用に適した１つの構成を示した斜面図である。
　【図２】
　図１に示したものの表面を玉石模様とし前面部上部に切欠部を設けたものの斜面図である。
　【図３】
　同じく図１に示したものの表面を岩模様とした前面中央に開口部を設けたものの斜面図である。
　【図４】
　図３に示したものの開口部を切欠部に加えたものの平面図である。
　【図５】
　図４に示したものの正面図である。
　【図６】
　図５に示したものの端面図である。
　【図７】
　図５のＶＩＩ．．．ＶＩＩ線にそった断面図である。
　【図８】
　図５のＶＩＩＩ．．．ＶＩＩＩ線にそった断面図である。
　【図９】
　本発明コンクリートブロックによる急勾配に適用された護岸壁形成状態の１例を部分的に示した断面図である。
　【図１０】
　その別の例を示した水面下部分を主体とした断面図である。
　【図１１】
　前面部外面を玉石模様とした本発明による緩勾配用コンクリートブロックの構成を示した斜面図である。
　【図１２】
　図１１に示したものの表面を岩模様とし、前面部中央部に開口部を設けた変形構成についての斜面図である。
　【図１３】
　図１１に示したものの中央部における断面図である。
　【図１４】
　緩傾斜面に形成された本発明コンクリート魚巣の断面図である。
　【図１５】
　本発明による法留用の更に別の構成を示した斜面図である。
　【図１６】
　図１５に示したものによる木材杆や石材をも併用した魚巣の仕切壁部の断面図である。
　【図１７】
　図１６に示したものの仕切壁間中央部の同様な断面図である。
　【図１８】
　ブロック内に魚類が進入し得るようにすると共に石材をも併用した本発明の法留部に使用したコンクリートブロック魚巣の断面図である。
　【符号の説明】
１　コンクリートブロック
３　支持柱
８　外水域
９　藻類
９ａ　水草
１０　開口部
１１　前面部
１１ａ　その外面
１１ｂ　その内面
１２　後面部
１２ａ　その外面
１２ｂ　その内面
１３　仕切壁
１４　空洞状部分
１４ａ　皿状部分
１６　開放部
１７　両端側底部
１８　水抜き部
１９　切込み部（仕切壁）
２１　補強鉄筋挿入孔
２２　嵌合突部
２３　嵌合凹部
２４　部分的厚肉部
２５　仕切壁嵌合突部
２６　仕切壁嵌合凹部
２７　開放域
２８　部分的開放部
２９　閉塞突壁
３０　部分的開放部（後面部）
３１　基礎部
３２　コンクリートなどによる凝結充填層
３３　柵部材
３４　天然石材
３５　餌場魚巣
３６　自然石模様
３７　擬石模様
３８　大気域植物
３９　庇部
４７　護岸用ブロック